(57)【要約】【課題】高齢化社会を迎え、介護のいらない元気な老人を増やすための健康寿命を延ばすことが課題となっている。その中でも歯の健康は非常に重要で、歯の不健康は万病のもとと言われるように様々な病気の原因となり、寝たきり老人を増やすことになる。電動歯ブラシは該歯ブラシを歯に押し当てる力加減が明確に利用者に把握されていないのが現状である。そのため、押し圧が強すぎて、歯ブラシ軸の根元に強大な応力を生じさせ、軸受けの摩耗、軸の折損などの問題を起こすことがある。【解決手段】電動歯ブラシ補助具を利用することにより、高価な電動歯ブラシ本体の寿命を延ばし、継続的な愛好者を増やすことができる。【選択図】図１
2018099285.tif 000002
【特許請求の範囲】
【請求項１】
該歯ブラシの後部に該歯ブラシとは別に、該電動歯ブラシ本体フレームまたは該電動歯ブラシ本体フレームに、簡単に取り付け取り外し可能に敷設されたアダプターから、該歯ブラシ受け部を設け、該歯ブラシの押し圧による該歯ブラシ軸の根元にかかる、応力を軽減することを特徴とする前記該電動歯ブラシ補助具。
【請求項２】
該歯ブラシの押し圧方向の多様性に対しても対応できるように、該電動歯ブラシの押し圧受け部は、該歯ブラシ側または押し圧受け部側は、凹凸の関係にて、契合することを特徴とする前記該電動歯ブラシ補助具。
【請求項３】
該歯ブラシの押し圧を受ける該電動歯ブラシ補助具に、押し圧を検出する手段を設けたことを特徴とする該電動歯ブラシ補助具。
【発明の詳細な説明】
【技術分野】
【０００１】
本発明は電動歯ブラシに関するものである。
【背景技術】
【０００２】
高齢化社会を迎え、介護のいらない元気な老人を増やすための健康寿命を延ばすことが課題となっている。その中でも歯の健康は非常に重要で、歯の不健康は万病のもとと言われるように様々な病気の原因となり、寝たきり老人を増やすことになる。歯の健康を維持していくために様々な取り組みがなされている。該電動歯ブラシもその一つで、老人でも簡単に使え、長時間の歯磨きの労力を軽減し、歯の健康維持に貢献している。
【０００３】
該電動歯ブラシは歯ブラシに振動または回転を付与し、利用者が該歯ブラシを手動で動かす手間を省き、利用者の負担を軽減して、きれいに汚れを落とすことができる。振動発生方法はモーター軸の偏心、リニア駆動、超音波振動子などによる方式がある。
【０００４】
しかし、該歯ブラシを歯に押し当てる力加減が明確に利用者に把握されていないのが現状である。そのため、押し圧が強すぎて、該歯ブラシの根元に強大な応力を生じさせ、軸受けの摩耗、軸の折損などの問題を起こすことがある。
【先行技術文献】
【特許文献】
【０００５】
【特許文献１】特表2016-505330(P2016-505330A)
【特許文献２】特表2015-527162(P2015-527162A)
【特許文献３】特開2011-156204(P2011-156204A)
【発明の概要】
【発明が解決しようとする課題】
【０００６】
本発明は上記問題点に鑑みて提案されたもので、利用者の該歯ブラシに係る過負荷な動作に対しても軸受けの摩耗、軸の折損などの発生を阻止することを目的とするものである。
【課題を解決するための手段】
【０００７】
上記目的を達成するために本発明に係る該電動歯ブラシ補助具は、該歯ブラシの後部に配置し、利用者の該歯ブラシの押し圧を受け止め、歯ブラシの駆動軸１１が受ける応力を軽減することがもっとも主要な特徴とするものである。
【０００８】
さらに、該歯ブラシの押し圧方向の多様性に対しても対応できるように、該電動歯ブラシの押し圧受け部３０は、該歯ブラシ側または該電動歯ブラシ補助具側は、凹凸の関係にて契合する。
【０００９】
さらに、該電動歯ブラシ補助具に、該歯ブラシの押し圧を検出する手段を構築したことを特徴とするものである。
【発明の効果】
【００１０】
本発明に係る該電動歯ブラシ補助具を利用することにより、老人など該歯ブラシの押し圧過負荷警報を出しても従わない利用者に対しても、該歯ブラシの駆動軸１１が受ける応力を軽減できるという効果もある。
【００１１】
また、該電動歯ブラシ補助具を利用することにより、高価な該電動歯ブラシ本体１の寿命を延ばし、継続的な該電動歯ブラシの愛好者を増やすことができる。
【図面の簡単な説明】
【００１２】
【図１】は本発明の実施例１に係る該電動歯ブラシ補助具の概略構成図である。
【図２】は本発明の実施例１に係る該電動歯ブラシ補助具のA―A断面図である。
【図３】は本発明の実施例１に係る該電動歯ブラシ補助具のB―B断面図である。
【図４】は本発明の実施例１に係る該電動歯ブラシ補助具の電動歯ブラシ制御に係る概念図である。
【発明を実施するための最良の形態】
【００１３】
以下、本発明に係る該電動歯ブラシ補助具の好ましい実施の形態を図面に基づいて説明する。
【実施例１】
【００１４】
図１は、本発明の該電動歯ブラシ補助具の概略構成図であって、図中符号３０は該電動歯ブラシ補助具の主要部を構成する該歯ブラシ受け部である。本実施例１での「該電動歯ブラシ補助具」とは、歯ブラシ受け部３０及び感熱センサー４１、４２で構成されたものである。
【００１５】
該歯ブラシ受け部３０は、パイプ状のステンレスで構成されており、歯ブラシフレーム２０に凹設された該歯ブラシ受け部３０と形状を密にする契合部２２で構成されており、該電動歯ブラシ利用者の多様な該歯ブラシ２１押し圧角度に対しても、押し圧力を受け止めることができる。
【００１６】
該歯ブラシ受け部３０は本実施例以外にも、該歯ブラシ受け部３０の形状を凹型にして、該歯ブラシフレーム２０の凸形状に合わせて契合することもできる。
【００１７】
該歯ブラシ受け部３０は、パイプ状のステンレスで構成されており、空洞の中にサーミスタなどの感熱センサー４１，４３が埋め込まれている。感熱センサー４１は歯ブラシ受け部３０と該歯ブラシフレーム２０の契合部２２での接触による摩擦熱を検出する。
【００１８】
感熱センサー４３は該電動歯ブラシが利用されている周囲温度を検出する。
【００１９】
感熱センサー４１と感熱センサー４３の差異を抽出することにより、間接的に該歯ブラシ２１の押し圧を抽出することができる。
【００２０】
該歯ブラシ２１の押し圧の検出には、本実施例以外にも圧電素子、ひずみゲージ、赤外線温度検出素子、熱電対などの検出器を利用することができる。
【００２１】
図２は図１のA―A断面を示し、該歯ブラシ受け部３０と該歯ブラシフレーム２０の位置関係を示す。
該歯ブラシフレーム２０の根元の切り欠きは、該電動歯ブラシ本体１０から該歯ブラシフレーム２０を抜き取る時、障害にならないための逃げである。
【００２２】
図３は図１のB―B断面を示し、該歯ブラシ受け部３０と該歯ブラシフレーム２０の位置関係を示す。
【００２３】
図４は該電動歯ブラシ補助具の該電動歯ブラシ制御に係る概念を示したものである。該歯ブラシの押し圧による該歯ブラシ受け部３０と該歯ブラシフレーム２０の契合部２２に発生した、摩擦熱を検出する摩擦熱検出器４１と該電動歯ブラシが利用されている周囲温度を検出する周囲温度検出器４３の信号線４２、４４が差異検出器に繋がっている。
【００２４】
差異検出器はサーミスタの抵抗値の差異を抽出し、該歯ブラシの押し圧を間接的に、熱から電圧に変換し、該電動歯ブラシ制御部へ送る。
【００２５】
該電動歯ブラシ制御部は、該歯ブラシの押し圧を電圧変化で受け取り、様々な条件機能を付加し、振動発生器を駆動する。
【００２６】
「振動発生器」とは回転運動を含む動力発生器である。該振動発生器は該電動歯ブラシ制御部で加工された信号で動作する。例えば該歯ブラシ２０の押し圧により、歯ブラシ受け部３０に 指定圧力以上の力が加わった時、該振動発生器に動作を止める、動作を緩める、警報を出すなどの指示を出すことができる。
【００２７】
本実施例１での「振動作用動作部」とは歯ブラシ、回転ブラシ、研磨作用、キサゲ作用などを含む作用動作部である。
【産業上の利用可能性】
【００２８】
本発明の該電動歯ブラシ補助具は該電動歯ブラシのみに限らず、医療機器、精密研磨器、キサゲ加工などの分野で、狭い場所における精密加工を要する機材の小型化に伴う、該振動作用動作部の脆弱化に対して、これを補強して、強い伝達力を得ることができる。また、内蔵するセンサーにより力加減をコントロールすることができ、加工技術の向上に役立つ。
【符号の説明】
【００２９】
１０・・・電動歯ブラシ本体
１１・・・歯ブラシの駆動軸
２０・・・歯ブラシフレーム
２１・・・歯ブラシ
２２・・・歯ブラシ受け部と歯ブラシフレームの契合部
３０・・・歯ブラシ受け部
４１・・・歯ブラシ受け部と歯ブラシフレームの契合部に発生する摩擦熱検出器
４２・・・歯ブラシ受け部と歯ブラシフレームの契合部に発生する摩擦熱検出器の信号線
４３・・・周囲温度検出器
４４・・・周囲温度検出器の信号線
【図１】
2018099285.tif 000003
【図２】
2018099285.tif 000004
【図３】
2018099285.tif 000005
【図４】
2018099285.tif 000006
【手続補正書】
【提出日】平成28年12月21日(2016.12.21)
【手続補正１】
【補正対象書類名】図面
【補正対象項目名】全図
【補正方法】変更
【補正の内容】
【図１】
2018099285.tif 000007
【図２】
2018099285.tif 000008
【図３】
2018099285.tif 000009
【図４】
2018099285.tif 000010